(57)【要約】      （修正有）【課題】発表者が参加者に対して情報を提示する場合、発表者と第三者とのやり取りを参加者に知られないようにする。【解決手段】発表者が発表者の操作入力に基づいて参加者に対して情報を提示するために用いられる情報処理装置であって、参加者に情報を提示する機能が情報の提示を開始したことを検知する開始検知部６２と、発表者に対して第三者からネットワークを介して受信した情報の表示を制御するコミュニケーション部５２と、情報の提示を開始したことを開始検知部６２により検知した場合、参加者と第三者との情報のやり取りが外部２０に通知されないようにコミュニケーション部５２による表示の動作を制限する制限部６４と、を備える。【選択図】図５
2017016486.tif 000002
【特許請求の範囲】
【請求項１】
発表者が該発表者の操作入力に基づいて参加者に対して情報を提示するために用いられる情報処理装置であって、
前記参加者に情報を提示する機能が情報の提示を開始したことを検知する開始検知部と、
前記発表者に対して第三者からネットワークを介して受信した情報の表示を制御するコミュニケーション部と、
情報の提示を開始したことを前記開始検知部により検知した場合、前記参加者と前記第三者との情報のやり取りが外部に通知されないように前記コミュニケーション部による表示の動作を制限する制限部と、
を備える情報処理装置。
【請求項２】
前記情報を提示する機能が情報の提示を終了したことを検知する終了検知部をさらに備え、
前記制限部は、情報の提示を終了したことを前記終了検知部により検知した場合、前記コミュニケーション部による表示の動作を制限の前の状態に戻す
請求項１に記載の情報処理装置。
【請求項３】
前記コミュニケーション部は、前記第三者から受信したメッセージを表示し、
前記制限部は、情報の提示を開始したことを前記開始検知部により検知した場合、前記第三者から受信したメッセージの表示を停止し、情報の提示を終了した場合、前記第三者から受信したメッセージの表示を再開する
請求項１または２に記載の情報処理装置。
【請求項４】
前記コミュニケーション部は、メッセージの表示の再開後において、前記第三者から受信したメッセージの表示を停止してから再開するまでの間に前記第三者から受信した全てのメッセージを表示する
請求項２に記載の情報処理装置。
【請求項５】
前記制限部は、情報の提示を開始したことを前記開始検知部により検知した場合、前記第三者からの情報のやり取りの要求を前記コミュニケーション部に拒否させる
請求項１から３の何れか１項に記載の情報処理装置。
【請求項６】
前記情報を提示する機能を実行するために前記発表者を認証してログインを受け付ける認証部をさらに備え、
前記コミュニケーション部は、前記認証部によって受け付けたログインに応じて、前記発表者が前記第三者からネットワークを介して情報を受信可能な状態へ遷移し、
前記制限部は、情報の提示を開始したことを前記開始検知部により検知した場合、前記コミュニケーション部による前記第三者から前記認証部が認証した前記発表者に対してネットワークを介して送信された情報の表示の動作を制限する
請求項１から５の何れか１項に記載の情報処理装置。
【請求項７】
前記情報を提示する機能は、プレゼンテーション機能を備えたアプリケーションを前記情報処理装置が実行することにより実現される
請求項１から６の何れか１項に記載の情報処理装置。
【請求項８】
前記情報を提示する機能は、前記情報処理装置と接続された該情報処理装置とは異なる装置が備え、
前記情報処理装置は、前記情報処理装置の画面を表す画像を前記異なる装置に送信し、
前記情報を提示する機能は、前記画像を表示する
請求項１から６の何れか１項に記載の情報処理装置。
【請求項９】
前記コミュニケーション部は、第１のアプリケーションを前記情報処理装置が実行することにより実現され、
前記制限部は、前記第１のアプリケーションとは異なる第２のアプリケーションを前記情報処理装置が実行することにより実現される
請求項１から６の何れか１項に記載の情報処理装置。
【請求項１０】
発表者が該発表者の操作入力に基づいて参加者に対して、情報処理装置により情報を提示する情報処理方法であって、
開始検知部が、前記参加者に情報を提示する機能が情報の提示を開始したことを検知するステップと、
コミュニケーション部が、前記発表者に対して第三者からネットワークを介して受信した情報の表示を制御するステップと、
情報の提示を開始したことを前記開始検知部により検知した場合、制限部が、前記参加者と前記第三者との情報のやり取りが外部に通知されないように前記コミュニケーション部による表示の動作を制限するステップと、
を含む情報処理方法。
【請求項１１】
コンピュータを、発表者が該発表者の操作入力に基づいて参加者に対して情報を提示するために用いられる情報処理装置として機能させるためのプログラムであって、
前記情報処理装置を、
前記参加者に情報を提示する機能が情報の提示を開始したことを検知する開始検知部と、
前記発表者に対して第三者からネットワークを介して受信した情報の表示を制御するコミュニケーション部と、
情報の提示を開始したことを前記開始検知部により検知した場合、前記参加者と前記第三者との情報のやり取りが外部に通知されないように前記コミュニケーション部による表示の動作を制限する制限部と、
して機能させるためのプログラム。
【発明の詳細な説明】
【技術分野】
【０００１】
本発明は、情報処理装置、情報処理方法およびプログラムに関する。
【背景技術】
【０００２】
従来、プロジェクタまたは大型モニタ等を用いて、発表者が参加者に対してプレゼンテーションをする場合がある。このような場合、発表者が、自身のＩＤでログインしたコンピュータをプロジェクタ等に接続してプレゼンテーションをする。
【０００３】
特許文献１には、ユーザのアクティビティに応じて、ワークスペース内にアラートを動的に配置する発明が記載されている。
【発明の概要】
【発明が解決しようとする課題】
【０００４】
ところで、自身のＩＤでログインしたコンピュータを用いてプロジェクタ等に接続してプレゼンテーションをする場合、そのコンピュータは、同一のＩＤで利用されるメールまたはメッセージ等を受信すると、プロジェクタ等にメールまたはメッセージの内容を表示する。従って、このような場合、コンピュータは、ユーザによるプレゼンテーションを妨害してしまう。また、個人的な情報または秘匿すべき情報が参加者に知られてしまう恐れもある。
【０００５】
本発明は、上記に鑑みてなされたものであって、発表者が参加者に対して情報を提示する場合に、発表者と第三者とのやり取りを参加者に知られないようにすることを目的とする。
【課題を解決するための手段】
【０００６】
上述した課題を解決し、目的を達成するために、本発明は、発表者が該発表者の操作入力に基づいて参加者に対して情報を提示するために用いられる情報処理装置であって、前記参加者に情報を提示する機能が情報の提示を開始したことを検知する開始検知部と、前記発表者に対して第三者からネットワークを介して受信した情報の表示を制御するコミュニケーション部と、情報の提示を開始したことを前記開始検知部により検知した場合、前記参加者と前記第三者との情報のやり取りが外部に通知されないように前記コミュニケーション部による表示の動作を制限する制限部と、を備える。
【発明の効果】
【０００７】
本発明によれば、参加者に情報を提示している場合に、第三者とのやり取りが参加者に知られないようにすることができる。
【図面の簡単な説明】
【０００８】
【図１】図１は、実施形態に係るプレゼンテーションシステムを示す図である。
【図２】図２は、電子黒板の外観の一例を示す図である。
【図３】図３は、電子黒板のハードウェア構成の一例を示す図である。
【図４】図４は、端末装置のハードウェア構成の一例を示す図である。
【図５】図５は、電子黒板および端末装置の機能構成を示す図である。
【図６】図６は、プレゼンテーションシステムの処理の流れの一例を示すシーケンス図である。
【図７】図７は、第１変形例に係るプレゼンテーションシステムを示す図である。
【図８】図８は、第２変形例に係るプレゼンテーションシステムを示す図である。
【図９】図９は、第１変形例に係る端末装置および第２変形例に係る電子黒板の機能構成を示す図である。
【発明を実施するための形態】
【０００９】
以下、図面を参照しながら実施形態に係るプレゼンテーションシステムについて詳細に説明する。本実施形態に係るプレゼンテーションシステムは、発表者が例えば電子黒板等を用いて参加者に情報を提示している場合において、発表者と第三者とのやり取りを参加者に知られないようにすることを目的としている。
【００１０】
（全体構成）
図１は、実施形態に係るプレゼンテーションシステム１０を示す図である。プレゼンテーションシステム１０は、電子黒板２０と、端末装置３０とを備える。
【００１１】
実施形態において、電子黒板２０と端末装置３０とは、ネットワークを介して接続される。端末装置３０は、例えば、無線通信または有線通信によりネットワークに接続される。ネットワークは、ＬＡＮ（Local  Area  Network）であってもよいし、ＷＡＮ（Wide  Area  Network）であってもよいし、ＷＡＮに公衆回線が含まれていてもよいし、どのようなネットワークであってもよい。
【００１２】
電子黒板２０は、電子ペンまたは手等による画面に対するユーザの操作に応じて描画データを生成し、生成した描画データを記憶する。そして、電子黒板２０は、生成した描画データを表示する。これにより、ユーザは、壁にペンを用いて文字または図形を描くように、電子黒板２０に文字または図形を描くことができる。
【００１３】
また、電子黒板２０は、ネットワークを介して端末装置３０と接続し、情報のやり取りを行う。電子黒板２０は、ネットワークを介して端末装置３０から受け取った情報を出力する。このような電子黒板２０は、情報処理装置の一例である。
【００１４】
端末装置３０は、ノート型コンピュータ等の情報処理装置である。端末装置３０は、ユーザにより操作される。端末装置３０は、スマートフォン、タブレット、および、携帯電話機等であってもよい。
【００１５】
このようなプレゼンテーションシステム１０は、発表者が端末装置３０を操作し、参加者が電子黒板２０を参照する。端末装置３０は、ネットワークを介して電子黒板２０に接続する。そして、発表者は、端末装置３０を操作することにより電子黒板２０に情報を表示して、参加者に対してプレゼンテーションを行う。すなわち、プレゼンテーションシステム１０は、発表者が該発表者の操作入力に基づいて参加者に対して情報を提示するために用いられる。電子黒板２０と端末装置３０は、双方のユーザを撮像した画像および双方のユーザの音声をやり取りして、電子会議を実現してもよい。
【００１６】
（電子黒板２０の外観およびハードウェア構成）
図２は、電子黒板２０の外観の一例を示す図である。電子黒板２０は、本体部２１１と、支柱２１２と、脚部２１３とを備える。
【００１７】
本体部２１１は、ディスプレイ２２０を含み、電子黒板２０の主機能を有する。支柱２１２は、ディスプレイ２２０の表示面が垂直に配置されるように、本体部２１１を支持する。脚部２１３は、当該電子黒板２０が転倒しないように、支柱２１２を床に対して支持する。さらに、脚部２１３は、キャスタを有し、電子黒板２０を床の上を移動させる。このような電子黒板２０は、ディスプレイ２２０に対する電子ペンおよび手によるユーザの操作を入力し、ユーザの操作に応じた描画データを表示することができる。また、電子黒板２０は、コンピュータ等と同様にアプリケーションプログラムを実行して、情報の出力を行うことができる。
【００１８】
図３は、電子黒板２０のハードウェア構成の一例を示す図である。電子黒板２０は、ＣＰＵ（Central  Processing  Unit）２２１と、ＲＯＭ（Read  Only  Memory）２２２と、ＲＡＭ（Random  Access  Memory）２２３と、フラッシュメモリ２２４と、ＳＳＤ（Solid  State  Drive）２２５と、ＨＤ（Hard  Disk）２２６と、ＨＤＤ（Hard  Disk  Drive）２２７と、ネットワークＩ／Ｆ２２８と、メディアドライブ２２９と、音声入出力Ｉ／Ｆ２３１と、画像入力Ｉ／Ｆ２３２と、キャプチャデバイス２３３と、ＧＰＵ（Graphics  Processing  Unit）２３４と、ディスプレイ２２０と、ディスプレイコントローラ２３５と、接触センサ２３６と、センサコントローラ２３７と、電子ペンコントローラ２３８と、バスライン２４０とを備える。
【００１９】
ＣＰＵ２２１は、電子黒板２０の全体の動作を制御する。ＲＯＭ２２２は、ＣＰＵ２２１の駆動に用いられるプログラムを記憶する。ＲＡＭ２２３は、ＣＰＵ２２１のワークエリアとして使用される。フラッシュメモリ２２４は、電子黒板２０用の制御プログラム等の各種データを記憶する。電子黒板２０は、フラッシュメモリ２２４に代えて、ＥＥＰＲＯＭ等を備えてもよい。ＳＳＤ２２５は、ＣＰＵ２２１の制御に従ってフラッシュメモリ２２４に対する各種データの読み出しまたは書き込みを制御する。
【００２０】
ＨＤ２２６は、端末装置３０へと提供するためのデータおよびプログラム等を記憶する。ＨＤＤ２２７は、ＣＰＵ２２１の制御に従ってＨＤ２６７に対する各種データの読み出しまたは書き込みを制御する。
【００２１】
ネットワークＩ／Ｆ２２８は、ネットワークを介した通信を制御する。メディアドライブ２２９は、電子黒板２０に対して着脱可能なフラッシュメモリ等の記録メディアに対するデータの読み出しまたは書き込み（記憶）を制御する。音声入出力Ｉ／Ｆ２３１は、ＣＰＵ２２１の制御に従ってマイクロフォンスピーカ等との間で音信号の入出力を処理する。
【００２２】
画像入力Ｉ／Ｆ２３２は、カメラにより撮像された画像を入力する。キャプチャデバイス２３３は、例えば他のコンピュータのディスプレイに表示された静止画または動画を取り込む。ＧＰＵ２３４は、グラフィクス処理を実行する。ＧＰＵ２３４は、ユーザにより入力された情報に応じた画像の描画処理を実行する。また、ＧＰＵ２３４は、描画した画像と、キャプチャデバイス２３３により取り込まれた画像およびカメラから入力した画像とを合成する処理等を実行する。ディスプレイコントローラ２３５は、ＧＰＵ２３４からの出力画像をディスプレイ２２０へ出力するために画面表示の制御および管理を行う。
【００２３】
接触センサ２３６は、電子ペンまたはユーザの手によるディスプレイ２２０に対する接触の操作および情報の入力を検知する。センサコントローラ２３７は、ＣＰＵ２２１の制御に従って接触センサ２３６の処理を制御する。
【００２４】
接触センサ２３６は、一例として、赤外線遮断方式による座標の入力および座標の検出を行う。座標の入力および座標の検出する方法は、ディスプレイ２２０の上側両端部に設置された２つの受発光装置が、ディスプレイ２２０に平行して複数の赤外線を放射し、ディスプレイ２２０の周囲に設けられた反射部材によって反射されて、受光素子が放射した光の光路と同一の光路上を戻って来る光を受光する方法である。接触センサ２３６は、物体によって遮断された２つの受発光装置が放射した赤外線のＩＤ（Identification）をセンサコントローラ２３７に出力する。センサコントローラ２３７は、物体の接触位置である座標位置を特定する。
【００２５】
また、接触センサ２３６として、赤外線遮断方式に限らず、静電容量の変化を検知することにより接触位置を特定する静電容量方式のタッチパネル、対向する２つの抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。
【００２６】
電子ペンコントローラ２３８は、電子ペンと通信することで、ディスプレイ２２０へのペン先のタッチやペン尻のタッチの有無を判断する。なお、電子ペンコントローラ２３８が、電子ペンのペン先およびペン尻だけでなく、電子ペンのユーザが握る部分またはその他の電子ペンの部分のタッチの有無を判断するようにしてもよい。
【００２７】
バスライン２４０は、各構成要素の間を接続するためのアドレスバスおよびデータバス等である。
【００２８】
（端末装置３０のハードウェア構成）
図４は、端末装置３０のハードウェア構成の一例を示す図である。端末装置３０は、ＣＰＵ３２１と、ＲＯＭ３２２と、ＲＡＭ３２３と、フラッシュメモリ３２４と、ＳＳＤ３２５と、電源スイッチ３２６と、ネットワークＩ／Ｆ３３１と、カメラ３３２と、撮像素子Ｉ／Ｆ３３３と、マイクロフォン３３４と、スピーカ３３５と、音声入出力Ｉ／Ｆ３３６と、表示部３３７と、表示Ｉ／Ｆ３３８と、入力部３３９と、入力Ｉ／Ｆ３４０と、バスライン３４１とを備える。
【００２９】
ＣＰＵ３２１は、端末装置３０の全体の動作を制御する。ＲＯＭ３２２は、ＣＰＵ３２１の駆動に用いられるプログラムを記憶する。ＲＡＭ３２３は、ＣＰＵ３２１のワークエリアとして使用される。フラッシュメモリ３２４は、端末装置３０用の制御プログラムおよび画像データ等の各種データを記憶する。端末装置３０は、フラッシュメモリ３２４に代えて、ＥＥＰＲＯＭ等を備えてもよい。ＳＳＤ３２５は、ＣＰＵ３２１の制御に従ってフラッシュメモリ３２４に対する各種データの読み出しまたは書き込みを制御する。電源スイッチ３２６は、端末装置３０の電源のオン／オフを切り換えるためのボタンである。
【００３０】
ネットワークＩ／Ｆ３３１は、ネットワークを介した通信を制御する。カメラ３３２は、ＣＰＵ３２１の制御に従って被写体を撮像して画像データを得る。撮像素子Ｉ／Ｆ３３３は、カメラ３３２の駆動を制御する。マイクロフォン３３４は、音を入力する。スピーカ３３５は、音を出力する。音声入出力Ｉ／Ｆ３３６は、ＣＰＵ３２１の制御に従ってマイクロフォン３３４およびスピーカ３３５との間で音信号の入出力を処理する。
【００３１】
表示部３３７は、画像データに応じた画像および操作用アイコン等を表示する。表示Ｉ／Ｆ３３８は、ＣＰＵ３２１の制御に従って表示部３３７に画像データを伝送する。入力部３３９は、例えばキーボードまたはマウス等に対するユーザの操作入力を受け付ける。入力Ｉ／Ｆ３４０は、入力部３３９に対してされた操作入力を検出する。バスライン３４１は、各構成要素の間を接続するためのアドレスバスおよびデータバス等である。
【００３２】
（電子黒板２０および端末装置３０の機能構成）
図５は、電子黒板２０および端末装置３０の機能構成を示す図である。電子黒板２０は、図３に示したＣＰＵ２２１がプログラムを実行し、必要に応じて他のハードウェア資源と協働することにより、各ブロックの機能が実現される。また、端末装置３０は、図４に示したＣＰＵ３２１がプログラムを実行し、必要に応じて他のハードウェア資源と協働することにより、各ブロックの機能が実現される。なお、図５に示すブロックのそれぞれは、一部または全部がハードウェアにより構成されてもよい。
【００３３】
電子黒板２０は、第１のプレゼンテーション部４１を有する。端末装置３０は、第２のプレゼンテーション部５１と、少なくとも１つのコミュニケーション部５２と、管理部５３とを有する。
【００３４】
第１のプレゼンテーション部４１と第２のプレゼンテーション部５１とは、ネットワークを介して互いに連携して動作する。第１のプレゼンテーション部４１および第２のプレゼンテーション部５１は、端末装置３０のユーザ（発表者）の操作に応じて、電子黒板２０を参照している参加者に情報を提示する。第１のプレゼンテーション部４１および第２のプレゼンテーション部５１は、動画像、静止画像および音声信号等を参加者に提示してもよい。また、第１のプレゼンテーション部４１および第２のプレゼンテーション部５１は、端末装置３０の表示部３３７に表示されている全画像を、電子黒板２０に表示してもよい。このような第１のプレゼンテーション部４１および第２のプレゼンテーション部５１は、発表者が参加者に対して情報を提示するための機能の一例である。
【００３５】
第１のプレゼンテーション部４１は、所定のアプリケーションプログラムを図３に示すＣＰＵ２２１が実行することにより実現される。また、第２のプレゼンテーション部５１は、所定のアプリケーションプログラムを図４に示すＣＰＵ３２１が実行することにより実現される。第１のプレゼンテーション部４１および第２のプレゼンテーション部５１を実現するためのアプリケーションプログラムは、例えばスライド等を表示するためのプレゼンテーション機能を備えたプログラムである。これに代えて、第１のプレゼンテーション部４１および第２のプレゼンテーション部５１を実現するためのアプリケーションプログラムは、テレビジョン会議システムを実現するプログラム、ペーパーレス会議システムを実現するプログラムであってよい。また、第１のプレゼンテーション部４１および第２のプレゼンテーション部５１を実現するためのアプリケーションプログラムは、発表者の操作に基づき参加者に対して情報を提示できるものであれば、例えば、テキストを表示するためのプログラムであってもよいし、音声または画像等を伝達するためのプログラムであってもよい。
【００３６】
それぞれのコミュニケーション部５２は、端末装置３０を操作するユーザ（発表者）に対して、他の情報処理装置を操作する他ユーザ（第三者）からネットワークを介して受信した情報の表示を制御する。コミュニケーション部５２は、例えば、発表者に対して第三者からネットワークを介して受信したメールまたはメッセージの表示を制御してもよい。また、コミュニケーション部５２は、発表者に対して第三者からネットワークを介して受信した画像およびテキスト等が混在した情報の表示を制御してもよい。
【００３７】
それぞれのコミュニケーション部５２は、第三者からメッセージを受信した場合、メッセージの内容を画面に表示したり、メッセージを受信したことを示すアラートを画面に表示したりする。また、それぞれのコミュニケーション部５２は、第三者からやり取りの開始の要求を受けた場合に、その旨を画面に表示してもよい。
【００３８】
それぞれのコミュニケーション部５２は、所定のアプリケーションプログラムを図４に示すＣＰＵ３２１が実行することにより実現される。
【００３９】
管理部５３は、端末装置３０で実行されるアプリケーションプログラムの動作を制御する。本実施形態においては、管理部５３は、第２のプレゼンテーション部５１およびそれぞれのコミュニケーション部５２を制御する。管理部５３は、オペレーティングシステムの一部のモジュールを図４に示すＣＰＵ３２１が実行することにより実現される。また、管理部５３は、それぞれのコミュニケーション部５２を実現するためのアプリケーションプログラムとは異なる所定のアプリケーションプログラムを図４に示すＣＰＵ３２１が実行することにより実現されてもよい。
【００４０】
管理部５３は、設定変更部６１と、開始検知部６２と、終了検知部６３と、制限部６４と、認証部６５とを含む。
【００４１】
設定変更部６１は、ユーザによる操作に応じて、それぞれのコミュニケーション部５２の動作の設定を変更する。例えば、設定変更部６１は、メッセージの表示方法、アラートの出力方法、または、やり取りの開始の要求の出力方法等を設定する。
【００４２】
開始検知部６２は、第１のプレゼンテーション部４１および第２のプレゼンテーション部５１が、情報の提示を開始したことを検知する。そして、開始検知部６２は、検知結果を制限部６４に通知する。例えば、開始検知部６２は、第１のプレゼンテーション部４１および第２のプレゼンテーション部５１が、互いに認証をして通信回線を形成（セッションを形成）した場合に、情報の提示を開始したと検知する。また、例えば、開始検知部６２は、端末装置３０の表示部３３７に表示されている画像の、電子黒板２０へ送信が開始された場合に、情報の提示を開始したと検知してもよい。また、例えば、開始検知部６２は、発表者または参加者の操作により開始の指示が与えられた場合に、情報の提示を開始したと検知してもよい。
【００４３】
終了検知部６３は、第１のプレゼンテーション部４１および第２のプレゼンテーション部５１が、情報の提示を終了したことを検知する。そして、終了検知部６３は、検知結果を制限部６４に通知する。例えば、終了検知部６３は、第１のプレゼンテーション部４１および第２のプレゼンテーション部５１が、認証をして形成した通信回線を遮断（セッションを終了）した場合に、情報の提示を終了したと検知する。また、例えば、終了検知部６３は、端末装置３０の表示部３３７に表示されている画像の、電子黒板２０への送信が終了した場合に、情報の提示を終了したと検知してもよい。また、例えば、終了検知部６３は、発表者または参加者により終了の指示が与えられた場合に、情報の提示を終了したと検知してもよい。
【００４４】
制限部６４は、設定変更部６１を制御して、それぞれのコミュニケーション部５２の設定を変更する。具体的には、制限部６４は、情報の提示を開始したことを開始検知部６２により検知した場合、参加者と第三者との情報のやり取りが外部に通知されないように、それぞれのコミュニケーション部５２の動作を制限する。また、制限部６４は、情報の提示が終了したことを終了検知部６３により検知した場合、それぞれのコミュニケーション部５２の動作を制限の前の状態に戻す。
【００４５】
例えば、何れかのコミュニケーション部５２が、第三者から受信したメッセージを表示したり、アラートを出力したりするとする。この場合、制限部６４は、情報の提示を開始した場合、そのコミュニケーション部５２が第三者から受信したメッセージの表示およびアラートの出力等を停止する。そして、制限部６４は、情報の提示を終了した場合、そのコミュニケーション部５２が第三者から受信したメッセージの表示およびアラートの出力等を再開する。
【００４６】
このように制限がされた場合、コミュニケーション部５２は、メッセージの表示の再開後において、第三者から受信したメッセージの表示を停止してから再開するまでの間に、第三者から受信した全てのメッセージをまとめて表示してもよい。また、コミュニケーション部５２は、アラートの出力の再開後において、アラートの出力を停止してから再開するまでの間に出力すべきだった全てのアラートをまとめて出力してもよい。
【００４７】
また、制限部６４は、情報の提示を開始した場合、第三者からの情報のやり取りの要求を、コミュニケーション部５２に拒否させてもよい。また、制限部６４は、情報の提示を開始した場合、コミュニケーション部５２に第三者から受信した情報を予め設定された他者に転送させてもよい。また、何れかのコミュニケーション部５２が音声情報を受信するとする。この場合、制限部６４は、そのコミュニケーション部５２が受信した音声情報をテキスト情報に変換させ、変換させたテキスト情報を記憶させてもよい。
【００４８】
認証部６５は、端末装置３０を使用するユーザを認証する。例えば、認証部６５は、キーボードまたはソフトウェアキーボードを用いてユーザ名およびパスワードを受け付けて、ユーザを認証する。また、例えば、端末装置３０がカード読取機を備える場合、認証部６５は、カード読取機により読み取ったＩＣカードの情報を用いてユーザを認証してもよい。また、認証部６５は、認証サーバ等と連携してユーザを認証してもよい。例えば、この場合、認証サーバ等は、端末装置３０のＭＡＣアドレス等の識別子を用いて、端末装置３０が信頼可能な装置であるか否かを認証してもよい。
【００４９】
第２のプレゼンテーション部５１は、認証部６５により認証されたユーザ名により自動的にログインを受け付ける。これにより、第２のプレゼンテーション部５１は、認証部６５により認証されたユーザを発表者として識別し、第１のプレゼンテーション部４１と連携して参加者に情報を提供することができる。すなわち、認証部６５は、第１のプレゼンテーション部４１および第２のプレゼンテーション部５１の機能を実行するために発表者を認証してログインを受け付ける。
【００５０】
また、それぞれのコミュニケーション部５２は、認証部６５によって受け付けたログインに応じて、発表者が第三者からネットワークを介して情報を受信可能な状態に遷移する。これにより、それぞれのコミュニケーション部５２は、認証部６５により認証されたユーザ（すなわち、発表者）に対して、第三者からネットワークを介して受信した情報の表示を制御することができる。
【００５１】
図６は、プレゼンテーションシステム１０の処理の流れの一例を示すシーケンス図である。プレゼンテーションシステム１０は、例えば、図６に示されるような流れで処理が進められる。
【００５２】
まず、プレゼンテーションが開始されていない段階において、コミュニケーション部５２は、第三者からメッセージを受信すると（ステップＳ１１）、受信したメッセージを表示部３３７に表示する（ステップＳ１２）。これにより、コミュニケーション部５２は、第三者から送信されたメッセージを即時に、端末装置３０のユーザ（発表者）に通知することができる。
【００５３】
続いて、第１のプレゼンテーション部４１と第２のプレゼンテーション部５１との間でプレゼンテーションが開始される（ステップＳ１３）。プレゼンテーションが開始すると、管理部５３は、プレゼンテーションが開始したことを検知する（ステップＳ１４）。
【００５４】
続いて、管理部５３は、参加者と第三者との情報のやり取りが外部に通知されないように、コミュニケーション部５２の動作の設定を変更する（ステップＳ１５）。例えば、管理部５３は、メッセージを受信した場合に、メッセージの内容が表示されたり、アラートが出力されたりしないように設定を変更する。
【００５５】
続いて、プレゼンテーションの最中において、コミュニケーション部５２は、第三者からメッセージを受信すると（ステップＳ１６）、受信したメッセージを表示部３３７に表示せずに、保存をする（ステップＳ１７）。これにより、コミュニケーション部５２は、プレゼンテーションの最中において、例えば、メッセージの内容が電子黒板２０に表示されてしまったり、アラートの音声が電子黒板２０から出力されてしまったりすることを、確実に無くすことができる。
【００５６】
続いて、第１のプレゼンテーション部４１と第２のプレゼンテーション部５１との間でプレゼンテーションが終了される（ステップＳ１８）。プレゼンテーションが終了すると、管理部５３は、プレゼンテーションが終了したことを検知する（ステップＳ１９）。
【００５７】
続いて、管理部５３は、コミュニケーション部５２の動作が、プレゼンテーションが開始される前の状態に戻るように、コミュニケーション部５２の設定を変更する（ステップＳ２０）。これにより、コミュニケーション部５２は、以後、第三者から送信されたメッセージを、端末装置３０のユーザ（発表者）に通知することができる。
【００５８】
そして、コミュニケーション部５２は、メッセージの表示の再開後において、第三者から受信したメッセージの表示を停止してから再開するまでの間に、第三者から受信した全てのメッセージをまとめて表示する（ステップＳ２１）。これにより、コミュニケーション部５２は、表示できなかったメッセージを、端末装置３０のユーザ（発表者）に通知することができる。
【００５９】
本実施形態に係るプレゼンテーションシステム１０は、発表者が端末装置３０および電子黒板２０を用いて参加者に情報を提示している場合に、参加者と第三者との情報のやり取りが外部に通知されないようにする。これにより、プレゼンテーションシステム１０によれば、端末装置３０に表示されるメッセージまたはアラート等が、電子黒板２０を介して出力されてしまうことを無くすことができる。この結果、プレゼンテーションシステム１０によれば、発表者に対して第三者からネットワークを介して受信した情報を参加者に知られないようにすることができる。
【００６０】
図７は、第１変形例に係るプレゼンテーションシステム７０を示す図である。第１変形例に係るプレゼンテーションシステム７０は、電子黒板２０と端末装置３０とがケーブル７１を介して接続される。
【００６１】
第１変形例においては、電子黒板２０は、端末装置３０の表示部３３７に表示されている画像を、ディスプレイ２２０に表示する。例えば、ケーブル７１は、ディスプレイケーブル等であってもよい。
【００６２】
第１変形例においては、開始検知部６２は、電子黒板２０と端末装置３０とがケーブル７１を介して接続された場合に、情報の提示を開始したと検知してもよい。また、第１変形例においては、開始検知部６２は、電子黒板２０に情報が表示された場合に、情報の提示を開始したと検知してもよい。
【００６３】
また、第１変形例においては、終了検知部６３は、電子黒板２０と端末装置３０との間のケーブル７１が外された場合に、情報の提示を終了したと検知してもよい。また、第１変形例においては、終了検知部６３は、電子黒板２０への情報の表示が停止した場合に、情報の提示を終了したと検知してもよい。
【００６４】
このような第１変形例に係るプレゼンテーションシステム７０は、例えば、端末装置３０が、電子黒板２０のディスプレイ２２０を自身のモニタとして表示している場合に、発表者に対して第三者からネットワークを介して受信した情報が、電子黒板２０から出力されてしまうことを無くすことができる。
【００６５】
図８は、第２変形例に係るプレゼンテーションシステム８０を示す図である。第２変形例に係るプレゼンテーションシステム８０は、電子黒板２０を有し、端末装置３０は有さない構成となっている。
【００６６】
発表者は、端末装置３０を操作する代わりに、例えば電子ペン等を用いて電子黒板２０を直接操作する。電子黒板２０は、電子ペン等による操作に応じて、アプリケーションを起動したり、ディスプレイ２２０上に描画したりする。これにより、発表者は、会議等において、参加者と同一の画面を見ながら、プレゼンテーションをすることができる。
【００６７】
第２変形例においては、開始検知部６２は、プレゼンテーションを実行するためのアプリケーションプログラムが起動した場合、または、プレゼンテーション用のファイルがオープンした場合に、情報の提示を開始したと検知してもよい。また、第２変形例においては、開始検知部６２は、発表者に明示的に開始の指示がされた場合に、情報の提示を開始したと検知してもよい。
【００６８】
また、第２変形例においては、終了検知部６３は、プレゼンテーションを実行するためのアプリケーションプログラムが終了した場合、または、プレゼンテーション用のファイルがクローズした場合に、情報の提示を終了したと検知してもよい。また、第２変形例においては、終了検知部６３は、発表者に明示的に終了の指示がされた場合に、情報の提示を終了したと検知してもよい。
【００６９】
このような第２変形例に係るプレゼンテーションシステム８０は、例えば、発表者が電子黒板２０を直接操作している場合に、メッセージまたはアラート等が、電子黒板２０から出力されてしまうことを無くすことができる。
【００７０】
図９は、第１変形例に係る端末装置３０および第２変形例に係る電子黒板２０の機能構成を示す図である。第１変形例に係る端末装置３０は、プレゼンテーション部９１と、少なくとも１つのコミュニケーション部５２と、管理部５３とを有する。なお、第２変形例に係る電子黒板２０も、第１変形例に係る端末装置３０と、同様の機能構成を有する。
【００７１】
プレゼンテーション部９１は、発表者の操作に応じて、電子黒板２０のディスプレイ２２０に情報を表示する。コミュニケーション部５２は、図５を参照して説明した機能と同様である。管理部５３は、プレゼンテーション部９１による情報の提供の開始または終了を検知する点において異なるが、他の点については、図５を参照して説明した機能と同様である。
【００７２】
このような機能構成を有することにより、第１変形例に係る端末装置３０および第２変形例に係る電子黒板２０は、図５を参照して説明した端末装置３０と同様の作用を奏する。これにより、第１変形例に係る端末装置３０および第２変形例に係る電子黒板２０によれば、発表者に対して第三者からネットワークを介して受信した情報が、電子黒板２０から出力されてしまうことを無くすことができる。
【００７３】
以上説明した本実施形態の電子黒板２０および端末装置３０は、通常のコンピュータとして機能するためのハードウェアを含む。本実施形態の電子黒板２０および端末装置３０で実行されるプログラムは、インストール可能な形式または実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供される。
【００７４】
また、本実施形態の電子黒板２０および端末装置３０で実行されるプログラムを、インターネット等のネットワークに接続されたコンピュータ上に格納し、ネットワーク経由でダウンロードさせることにより提供してもよい。また、本実施形態の電子黒板２０および端末装置３０で実行されるプログラムをインターネット等のネットワーク経由で提供または配布してもよい。また、本実施形態のプログラムを、ＲＯＭ等に予め組み込んで提供してもよい。
【００７５】
本実施形態の電子黒板２０または端末装置３０で実行されるプログラムは、上述した各部（第１のプレゼンテーションモジュールまたは第２のプレゼンテーションモジュール、コミュニケーションモジュールおよび管理モジュール（設定変更モジュール、開始検知モジュール、終了検知モジュール、制限モジュールおよび認証モジュール））を含むモジュール構成となっている。電子黒板２０または端末装置３０は、記憶媒体からこのプログラムを読み出して実行することにより、プロセッサが第１のプレゼンテーション部４１または第２のプレゼンテーション部５１、コミュニケーション部５２および管理部５３（設定変更部６１、開始検知部６２、終了検知部６３、制限部６４および認証部６５）として機能する。なお、これらの一部がハードウェアにより実現されていてもよい。
【００７６】
以上、本発明の実施形態を説明したが、実施形態は、例として提示したものであり、発明の範囲を限定することは意図していない。これら新規な実施形態は、その他の様々な形態で実施されることが可能である。
【符号の説明】
【００７７】
１０  プレゼンテーションシステム
２０  電子黒板
３０  端末装置
４１  第１のプレゼンテーション部
５１  第２のプレゼンテーション部
５２  コミュニケーション部
５３  管理部
６１  設定変更部
６２  開始検知部
６３  終了検知部
６４  制限部
６５  認証部
７０  プレゼンテーションシステム
７１  ケーブル
８０  プレゼンテーションシステム
【先行技術文献】
【特許文献】
【００７８】
【特許文献１】特許第５０００７４７号公報
【図１】
2017016486.tif 000003
【図２】
2017016486.tif 000004
【図３】
2017016486.tif 000005
【図４】
2017016486.tif 000006
【図５】
2017016486.tif 000007
【図６】
2017016486.tif 000008
【図７】
2017016486.tif 000009
【図８】
2017016486.tif 000010
【図９】
2017016486.tif 000011